(57)【要約】【課題】入力ギヤおよび出力ギヤを有する逆入力遮断クラッチにおいて、キー溝やスプラインの加工を不要とすることができるようにすることである。【解決手段】入力ギヤ２１を外周に有する入力軸１と出力ギヤ２２を外周に有する出力軸２とを同軸上に配置し、その両軸の対向端部を覆う外輪３を固定の配置とする。入力軸１と出力軸２の相互間にトルク伝達手段８を設ける。外輪３と出力軸２との間に係合子１６、１７を組込み、出力軸２に回転トルクが入力されたとき、係合子１６、１７を外輪３の内周と出力軸２の外周に係合させて出力軸２をロックし、入力軸１に回転トルクが伝達されるのを防止する。入力軸１上の入力ギヤ２１および出力軸２上の出力ギヤ２２のそれぞれを対応する軸に一体に形成して、キー溝やスプラインの加工を不要とする。【選択図】図１
2007071294.tif 000002
【特許請求の範囲】
【請求項１】
入力ギヤを外周に有する入力軸と、軸端が対向する状態で入力軸と同軸上に配置され、出力ギヤを外周に有する出力軸と、前記入力軸と出力軸の対向端部を覆う固定配置の外輪と、前記入力軸の回転トルクを出力軸に伝達するトルク伝達手段と、前記外輪の内周と出力軸の外周に対して係脱自在とされ、係合時に出力軸をロックして出力軸から入力軸への回転伝達を遮断する係合子と、前記外輪内周および出力軸外周に係合する方向に向けて係合子を付勢する弾性部材と、前記入力軸の回転時に係合子を弾性部材の弾性に抗して係合解除位置に変位させるロック解除手段とから成る逆入力遮断クラッチにおいて、
前記入力ギヤと前記出力ギヤの少なくとも一方を対応する入力軸又は出力軸に一体に形成したことを特徴とする逆入力遮断クラッチ。
【発明の詳細な説明】
【技術分野】
【０００１】
この発明は、入力軸に入力される回転トルクを出力軸に伝達し、出力軸から入力軸への回転トルクの伝達を遮断するようにした逆入力遮断クラッチに関するものである。
【背景技術】
【０００２】
この種の逆入力遮断クラッチとして、特許文献１に記載されたものが従来から知られている。
【０００３】
図３は、上記特許文献１に記載された逆入力遮断クラッチと基本構造を同一とする逆入力遮断クラッチを示している。この逆入力遮断クラッチは、入力軸３１と出力軸３２とを軸端面を対向して同軸上に配置し、その入力軸３１と出力軸３２の対向端部を覆う外輪３３を固定の配置とし、その外輪３３の内周と出力軸３２の外周間に係合子３４を組込み、前記入力軸３１に回転トルクが入力された場合に、入力軸３１の軸端部に設けられた柱部３５で係合子３４を押圧して、その係合子３４を外輪３３内周および出力軸３２外周に対して係合解除される位置に変位させると共に、入力軸３１と出力軸３２の相互間に設けられた図示省略のトルク伝達手段を介して入力軸３１の回転を出力軸３２に伝達するようにしている。
【０００４】
また、出力軸３２に回転トルクが入力された場合に、係合子３４を外輪３３内周および出力軸３２外周に係合させて出力軸３２をロックし、出力軸３２から入力軸３１への回転トルクの伝達を遮断するようにしている。
【０００５】
上記のような逆入力遮断クラッチにおいては、入力軸３１に入力ギヤ３６を設け、その入力ギヤ３６に回転トルクを入力し、また、出力軸３２に出力ギヤ３７を設けて、入力軸３１から伝達される回転トルクを出力ギヤ３７から出力させる場合が多い。
【特許文献１】特開２００３−３４３６０１号公報
【発明の開示】
【発明が解決しようとする課題】
【０００６】
ところで、入力ギヤ３６と出力ギヤ３７は、一般的に、入力軸３１および出力軸３２に対して別体であるため、それぞれの軸に対して入力ギヤ３６および出力ギヤ３７を回り止めする必要がある。その回り止めには、図３に示すように、キー３８を用いる方法や、スプライン結合する方法が従来から知られているが、入力軸３１および出力軸３２の外周および入力ギヤ３６および出力ギヤ３７の内周にキー溝３９やスプラインを加工する必要があるため、加工に非常に手間がかかるという問題がある。
【０００７】
また、キー止め、あるいはスプライン結合する回り止めにおいては、通常、すきまばめによる嵌め合いであるため、連結部にガタやバックラッシュが発生し、摩耗や変形などの経時変化によってガタが次第に大きくなり、連結部が破損し易いという問題がある。
【０００８】
ここで、入力ギヤや出力ギヤのガタつき防止には、はめ合い部を接着剤で接着することが有効であるが、接着剤の塗布量のバラつきにより、品質が不安定であったり、接着剤の剥れによって連結部に弛みが生じ、経時的にキー等に変形が生じてガタつきが発生する可能性がある。
【０００９】
この発明は、入出力用のギヤを有する逆入力遮断クラッチにおいて、キー溝やスプラインの加工を不要とすること、およびガタつきの発生を無くすことを技術的課題としている。
【課題を解決するための手段】
【００１０】
上記の課題を解決するために、この発明においては、入力ギヤを外周に有する入力軸と、軸端が対向する状態で入力軸と同軸上に配置され、出力ギヤを外周に有する出力軸と、前記入力軸と出力軸の対向端部を覆う固定配置の外輪と、前記入力軸の回転トルクを出力軸に伝達するトルク伝達手段と、前記外輪の内周と出力軸の外周に対して係脱自在とされ、係合時に出力軸をロックして出力軸から入力軸への回転伝達を遮断する係合子と、前記外輪内周および出力軸外周に係合する方向に向けて係合子を付勢する弾性部材と、前記入力軸の回転時に係合子を弾性部材の弾性に抗して係合解除位置に変位させるロック解除手段とから成る逆入力遮断クラッチにおいて、前記入力ギヤと前記出力ギヤの少なくとも一方を対応する入力軸又は出力軸に一体に形成した構成を採用したのである。
【発明の効果】
【００１１】
上記のように、入力ギヤと出力ギヤの少なくとも一方を対応する入力軸や出力軸に対して一体に形成することにより、キー溝やスプラインの加工を不要とすることができると共に、ギヤ連結部の経時変化によるガタつきを無くすことができ、品質の安定した信頼性の高い逆入力遮断クラッチを得ることができる。
【００１２】
また、入力ギヤおよび出力ギヤの一体化により、逆入力遮断クラッチの小型化と、軽量化とを図ることができる。
【発明を実施するための最良の形態】
【００１３】
以下、この発明の実施の形態を図１および図２に基づいて説明する。図示のように、入力軸１と出力軸２は軸端面を対向して同軸上に配置され、その入力軸１と出力軸２の対向端部は外輪３によって覆われている。
【００１４】
外輪３は固定の配置とされ、その外輪３の開口端部内に組込まれた軸受４、５によって入力軸１および出力軸２が回転自在に支持されている。
【００１５】
入力軸１は、出力軸２と対向する端部にフランジ６を有し、そのフランジ６の外周部に設けられた円筒部７は出力軸２と外輪３間に配置されている。
【００１６】
入力軸１と出力軸２の相互間には、入力軸１に入力される回転トルクを出力軸２に伝達するトルク伝達手段８が設けられている。
【００１７】
トルク伝達手段８は、出力軸２の端部外周にピン９を突設し、そのピン９を入力軸１の円筒部７に形成されたピン孔１０に挿入し、上記ピン孔１０の両端に対するピン９の当接部位から出力軸２に回転トルクを伝達するようにしており、上記ピン９とピン孔１０の両端部間に遊び１１が設けられている。
【００１８】
出力軸２の端部外周には、外輪３の円筒状内面１２との間でくさび状空間を形成する複数のカム面１３が周方向に等間隔に形成されている。カム面１３は、相反する方向に傾斜する一対の傾斜面１３ａ、１３ｂから成り、その一対の傾斜面１３ａ、１３ｂの交差部に径方向外方に向く支持片１４が設けられている。
【００１９】
円筒部７には、上記各カム面１３に対向してポケット１５が形成され、各ポケット１５内に第１係合子１６と第２係合子１７とが組込まれている。第１係合子１６および第２係合子１７はローラから成る。この第１係合子１６および第２係合子１７は支持片１４との間に組込まれた弾性部材１８によりくさび状空間の狭小部に向けて付勢されている。
【００２０】
円筒部７に対するポケット１５の形成によって隣接するポケット１５間にロック解除手段としての柱部１９が設けられる。この柱部１９は、入力軸１が回転トルクの入力によって回転する際に、その回転方向前側の第１係合子１６又は第２係合子１７をくさび状空間の広幅部に向けて押圧してカム面１３および円筒状内面１２に対する係合を解除させるようになっている。
【００２１】
柱部１９と第１係合子１６および第２係合子１７との間には回転方向の遊び２０が設けられ、その遊び２０はトルク伝達手段８のピン９とピン孔１０との間に形成された遊び１１より小さくなっている。
【００２２】
上記の構成から成る逆入力遮断クラッチにおいて、入力軸１に回転トルクが入力されて入力軸１が、例えば、図２の矢印で示す方向に回転すると、柱部１９がその回転方向前側の第１係合子１６をくさび状空間の広幅部に向けて押圧するため、入力軸１は矢印方向に回転し、その回転はトルク伝達手段８を介して出力軸２に伝達され、出力軸２が入力軸１と同方向に回転する。このとき、第２係合子１７は外輪３の円筒状内面１２に沿って空転する。
【００２３】
また、入力軸１が矢印で示す方向と反対の方向に回転すると、柱部１９がその回転方向前側の第２係合子１７をくさび状空間の広幅部に向けて押圧するため、入力軸１は矢印と反対の方向に円滑に回転し、その回転はトルク伝達手段８を介して出力軸２に伝達され、出力軸２が入力軸１と同方向に回転する。このとき、第１係合子１６は外輪３の円筒状内面１２に沿って空転する。
【００２４】
ここで、出力軸２に回転トルクが入力されると、その回転方向に応じて第１係合子１６又は第２係合子１７が円筒状内面１２およびカム面１３に係合する。例えば、出力軸２が図２の時計回転方向に回転すると、第１係合子１６が円筒状内面１２およびカム面１３に係合して出力軸２をロックし、そのロックによって出力軸２から入力軸１に回転トルクが伝達されるのが防止される。
【００２５】
上記のような逆入力遮断クラッチにおいて、ここでは、入力軸１に入力ギヤ２１を一体に設け、その入力ギヤ２１に回転トルクを入力し、その入力軸１から伝達される回転トルクを出力軸２に一体に設けた出力ギヤ２２から出力するようにしている。
【００２６】
なお、入力ギヤ２１および出力ギヤ２２の形成には、塑性加工や旋削による加工法を採用することができる。
【００２７】
上記のように、入力ギヤ２１および出力ギヤ２２を入力軸１および出力軸２に一体に形成することで、入力軸１や出力軸２に対してキー溝やスプラインの加工を不要とすることができると共に、経時変化によるガタつきの発生を防止し、品質の安定した信頼性の高い逆入力遮断クラッチを得ることができる。
【００２８】
なお、入力ギヤ２１と出力ギヤ２２の一方を対応する入力軸１又は出力軸２に一体に形成するようにしてもよい。
【００２９】
実施の形態では、係合子１６、１７としてローラを採用したが、スプラグを用いるようにしてもよい。この場合、外輪３の内面および出力軸２の外面を円筒状とする。
【図面の簡単な説明】
【００３０】
【図１】この発明に係る逆入力遮断クラッチの実施形態を示す縦断正面図
【図２】図１のII−II線に沿った断面図
【図３】従来の逆入力遮断クラッチを示す縦断正面図
【符号の説明】
【００３１】
１      入力軸
２      出力軸
３      外輪
８      トルク伝達手段
１６    第１係合子
１７    第２係合子
１８    弾性部材
１９    柱部（ロック解除手段）
２１    入力ギヤ
２２    出力ギヤ
【図１】
2007071294.tif 000003
【図２】
2007071294.tif 000004
【図３】
2007071294.tif 000005